(57)【要約】  【課題】建設機械の上部旋回体に設けられるステップ装置に於いて、機械上面への昇降が安全且つ容易に行えるとともに、機械の外観を損なわずに美観を向上する。  【解決手段】建設機械の上部旋回体に設けられるステップ装置に於いて、上部旋回体のハウスカバー２２の前面に段設部３３を備えたカバー３０Ａを設ける。この段設部３３は水平面３１と垂直面３２とを有し、該段設部３３がステップを兼用するように形成されている。【選択図】図２
2005207028.tif 000002
【特許請求の範囲】
【請求項１】
建設機械の上部旋回体に設けられるステップ装置に於いて、
前記上部旋回体のハウスカバーの前面に段設部を設け、該段設部がステップを兼用するように形成されたことを特徴とする建設機械のステップ装置。
【請求項２】
建設機械の上部旋回体に設けられるステップ装置に於いて、
前記上部旋回体のハウスカバーの前面に凹設部を設け、該凹設部がステップを兼用するように形成されたことを特徴とする建設機械のステップ装置。
【発明の詳細な説明】
【技術分野】
【０００１】
本発明は建設機械のステップ装置に関するものであり、特に、上部旋回体への昇降を容易にするためのステップ装置に関するものである。
【背景技術】
【０００２】
従来、此種建設機械のステップ装置としては、ハウスカバー（建屋カバー）の上下に離間して上側ステップと下側ステップを開閉可能に設け、下側ステップはハウスカバーから開いた状態での張り出し寸法が上側ステップよりも大きくなるように、少なくとも２段階で開閉するように構成したものが知られている（例えば、特許文献１参照）。
【０００３】
また、上段カバー部と下段カバー部との間に垂直な立壁部があり、この立壁部にステップを回動可能に枢支させ、下段カバー部の上面に設けられた開閉扉を開放する際は、前記ステップを上方に回動して退避位置に変位させるように構成したものも知られている（例えば、特許文献２参照）。
【特許文献１】特開平９−２０３０７７号公報
【特許文献２】特開平８−９２９９８号公報
【発明の開示】
【発明が解決しようとする課題】
【０００４】
特許文献１記載のステップ装置は、作業アタッチメント装着部側方のハウスカバー前面部に設けられており、作業アタッチメント装着部やその後方のハウスカバー上面の点検や整備が行い難く、作業アタッチメントにステップが接触する虞がある。また、ステップがハウスカバーから突出しているため、機械の美観を損なっている。
【０００５】
特許文献２記載のステップ装置は、上段カバー部と下段カバー部との間に垂直な立壁部にステップが突設されているので、下段カバー部の上面に設けられた開閉扉を開放する際は、その都度、ステップを退避位置に回動させなければならず、作業が煩雑である。また、ステップが垂直な立壁部から前方へ突出しているので、やはり機械の美観を損なっている。
【０００６】
そこで、建設機械の上部旋回体に設けられるステップ装置に於いて、機械上面への昇降が安全且つ容易に行えるとともに、機械の外観を損なわずに美観を向上するために解決すべき技術的課題が生じてくるのであり、本発明はこの課題を解決することを目的とする。
【課題を解決するための手段】
【０００７】
本発明は上記目的を達成するために提案されたものであり、請求項１記載の発明は、建設機械の上部旋回体に設けられるステップ装置に於いて、前記上部旋回体のハウスカバーの前面に段設部を設け、該段設部がステップを兼用するように形成された建設機械のステップ装置を提供する。
【０００８】
この構成によれば、前記ハウスカバーの前面に段設部が設けられているので、作業者がハウスカバーの上面へ昇降する際に、該段設部に足をかければ作業者の体が支承されて、安定した姿勢にて昇降でき、該段設部がステップを兼用できる。
【０００９】
請求項２記載の発明は、建設機械の上部旋回体に設けられるステップ装置に於いて、前記上部旋回体のハウスカバーの前面に凹設部を設け、該凹設部がステップを兼用するように形成された建設機械のステップ装置を提供する。
【００１０】
この構成によれば、前記ハウスカバーの前面に凹設部が設けられているので、作業者がハウスカバーの上面へ昇降する際に、該凹設部に足をかければ作業者の体が支承されて、安定した姿勢にて昇降でき、該凹設部がステップを兼用できる。
【発明の効果】
【００１１】
請求項１記載の発明は、上部旋回体のハウスカバーの前面に段設部を設け、該段設部がステップを兼用するように形成されているので、作業者がハウスカバーの上面へ昇降する際に、この段設部を使用することにより、機械上面への昇降が安全且つ容易に行える。また、カバーを段設してステップとしたので、ステップのみが突設されている従来型に比較して、機械の外観を損なわずに美観を向上することができる。
【００１２】
請求項２記載の発明は、上部旋回体のハウスカバーの前面に凹設部を設け、該凹設部がステップを兼用するように形成されているので、作業者がハウスカバーの上面へ昇降する際に、この凹設部を使用することにより、機械上面への昇降が安全且つ容易に行える。また、請求項１記載の発明の効果と同様に、カバーを凹設してステップとしてあるので、ステップのみが突設されている従来型に比較して、機械の外観を損なわずに美観を向上することができる。
【発明を実施するための最良の形態】
【００１３】
以下、本発明に係る建設機械のハンドレール装置について、好適な実施例をあげて説明する。機械上面への昇降が安全且つ容易に行えるとともに、機械の外観を損なわずに美観を向上するという目的を、上部旋回体のハウスカバーの前面に段設部を設け、該段設部がステップを兼用するように形成したことにより実現した。
【実施例１】
【００１４】
図１は建設機械の一例として油圧ショベル１０を示し、下部走行体１１の上に旋回機構１２を介して上部旋回体１３が旋回自在に載置されている。上部旋回体１３にはその前方一側部にキャブ１４が設けられ、且つ、前方中央部にブーム１５が俯仰可能に取り付けられている。更に、ブーム１５の先端にアーム１６が上下回動自在に取り付けられ、該アーム１６の先端にバケット１７が取り付けられている。
【００１５】
また、上部旋回体１３の前方他側部にタンク２０が設けられ、エンジン２１等とともにハウスカバー２２にて被蔽されている。前記タンク２０の前方部即ち上部旋回体１３の最前部上面にツールボックス２３を固設し、上部旋回体１３の下部フレーム２４の最前部前端面にステップ２５を突設する。そして、前記タンク２０を被蔽しているハウスカバー２２の前面で、且つ、前記ツールボックス２３の上面に、合成樹脂製のカバー３０を設置する。更に、前記燃料タンク２０の上部付近からツールボックス２３の前下部にかけて、上部旋回体１３の右側部にハンドレール２６を配設する。
【００１６】
図２はステップ装置の一例を示し、前述したハウスカバー２２前面のカバー３０の一例としてカバー３０Ａを設け、該カバー３０Ａには、水平面３１と、該水平面３１の後端から垂直に立ち上がる垂直面３２とからなる段設部３３を設けてあり、後述するように、この段設部３３がステップを兼用するように形成されている。
【００１７】
また、前記ハンドレール２６は、前記カバー３０Ａの上部に固設され且つ垂直に形成された立ち上がり部２７と、該立ち上がり部２７の上端から斜め前下方へ向かって凸状に湾曲された湾曲部２８とからなり、該湾曲部２８の下端を前記下部フレーム２４の下面側へ屈曲してクランプ２９にて固定している。
【００１８】
一方、前記段設部３３を備えたカバー３０Ａは、前記ツールボックス２３の上面に載置されているが、ツールボックス２３の後部位置に設けられているので、ツールボックス２３の上面に設けた蓋３４を開閉する際に、該カバー３０Ａが蓋３４の開閉の邪魔になることはない。
【００１９】
而して、作業者が機械の点検や整備のためにハウスカバー２２の上面へ昇る際には、先ず下部走行体１１に上がり、前記下部フレーム２４の最前部前端面に突設されたステップ２５に足を掛けて上部旋回体１３のツールボックス２３に上がる。このとき、作業者が前記ハンドレール２６に手を掛けて把持しながら上がれば、作業者の姿勢が安定して極めて容易にツールボックス２３に上がることができる。
【００２０】
続いて、前記カバー３０Ａに設けられている段設部３３をステップの代用とし、段設部３３の水平面３１に足を掛け、更に、前記ハウスカバー２２のタンク２０を被蔽している部分に足を掛けて、ハウスカバー２２の上面に昇る。このときも、作業者が前記ハンドレール２６に手を掛けて把持しながら上がれば、作業者の姿勢が安定して極めて容易にハウスカバー２２の上面に上がることができる。
【００２１】
図３はステップ装置の他の一例を示し、説明の都合上、図２に示したステップ装置と同一構成部分には同一符号を付してその説明を省略する。前述したハウスカバー２２前面のカバー３０の他の一例としてカバー３０Ｂを設け、該カバー３０Ｂには、水平面３６と、該水平面３６の後端から垂直に立ち上がる後部垂直面３７と、該水平面３６の左右両端から夫々垂直に立ち上がる側部垂直面３８とからなる凹設部３９を設けてあり、後述するように、この凹設部３９がステップを兼用するように形成されている。
【００２２】
また、前記ハンドレール２６は図２に示したものと同一のものであり、前記カバー３０Ａの上部に立ち上がり部２７を固設し、凸状に湾曲された湾曲部２８の下端を前記下部フレーム２４の下面側へ屈曲してクランプ２９にて固定している。
【００２３】
而して、作業者が機械の点検や整備のためにハウスカバー２２の上面へ昇る際には、前述した図２の構成と同様に、先ず下部走行体１１に上がり、前記下部フレーム２４の最前部前端面に突設されたステップ２５に足を掛けて上部旋回体１３のツールボックス２３に上がる。このとき、作業者が前記ハンドレール２６に手を掛けて把持しながら上がれば、作業者の姿勢が安定して極めて容易にツールボックス２３に上がることができる。
【００２４】
続いて、前記カバー３０Ｂに設けられている凹設部３３をステップの代用とし、凹設部３９の水平面３６に足を掛け、更に、前記ハウスカバー２２のタンク２０を被蔽している部分に足を掛けて、ハウスカバー２２の上面に昇る。このときも、作業者が前記ハンドレール２６に手を掛けて把持しながら上がれば、作業者の姿勢が安定して極めて容易にハウスカバー２２の上面に上がることができる。
【００２５】
斯くして、タンク２０を被蔽するハウスカバー２２の前面に、段設部３３を備えたカバー３０Ａを設けた場合、或いは、凹設部３９を備えたカバー３０Ｂを設けた場合の何れの構成であっても、前記段設部３３または凹設部３９が、作業者がハウスカバー２２の上面へ昇降する際にステップとして利用でき、昇降が安全且つ容易に行うことができる。従来型のようにステップのみが突出しないため、機械の外観を損なわずに美観を向上することができる。
【００２６】
また、カバー３０Ａ及び３０Ｂは何れも合成樹脂にて成形されているため、軽量且つ製作が容易である。更に、カバー３０Ａ及び３０Ｂは何れもツールボックス２３の後部位置に設けられているので、ツールボックス２３の上面に設けた蓋３４を開閉する際に、該カ
バー３０Ａ或いは３０Ｂが蓋３４の開閉の邪魔になることはない。
【００２７】
尚、本発明は、本発明の精神を逸脱しない限り種々の改変を為すことができ、そして、本発明が該改変されたものに及ぶことは当然である。
【図面の簡単な説明】
【００２８】
図は本発明の一実施の形態を示すものである。
【図１】油圧ショベルの側面図。
【図２】ステップ装置の一例を示す斜視図。
【図３】ステップ装置の一例を示す斜視図。
【符号の説明】
【００２９】
１０    油圧ショベル
１１    下部走行体
１２    上部旋回体
２０    タンク
２２    ハウスカバー
２３    ツールボックス
３０    カバー
３０Ａ  カバー
３０Ｂ  カバー
３３    段設部
３９    凹設部 
【図１】
2005207028.tif 000003
【図２】
2005207028.tif 000004
【図３】
2005207028.tif 000005